(57)【要約】      （修正有）【課題】玄関土間を通路として捉える概念に基づく客人に配慮した玄関において、玄関土間の占有面積を抑える構成を提供する。【解決手段】住宅の玄関側外壁６から突出する様にして玄関扉７を備える玄関壁８を設け、玄関先に構える屋根１に設けた採光部２の直下に導入筒３を配置して玄関側外壁６と玄関扉７を備える玄関壁８との狭間に生じる空間に外光が射し込める様にし、玄関扉７と対向する第１上がり框９を設け、第１上がり框９と玄関側外壁６を介する第１上がり框９に横付けされた状況の第２上がり框１０を設け、玄関天井の下方における玄関側外壁６と玄関扉７を備える玄関壁８との狭間に生じる空間に玄関収納１１を配置し、玄関扉７と第１上がり框９を介する玄関側壁１２を設け、第１上がり框９と第２上がり框１０を隔てる仕切り壁１３を設けることで玄関扉７と第１上がり框９の経路間を通路として捉える概念を明確にしつつ玄関土間１４の占有面積を抑える。【選択図】図１
2011163097.tif 000002
【特許請求の範囲】
【請求項１】
屋根（１）に採光部（２）を設け、屋根（１）内部と玄関天井裏に導入筒（３）を設け、玄関天井に第１窓（４）を設け、採光部（２）と導入筒（３）と第１窓（４）を連結する採光構造（５）であって、住宅の玄関側外壁（６）から突出する様にして玄関扉（７）を備える玄関壁（８）を設け、これにより屋根（１）を上限とする範囲の玄関側外壁（６）を除去し、玄関先に構える屋根（１）に採光部（２）を設け、屋根（１）内部に導入筒（３）を設け、採光部（２）の直下に導入筒（３）を配置して玄関側外壁（６）と玄関扉（７）を備える玄関壁（８）との狭間に生じる空間に外光が射し込める様にし、玄関扉（７）と対向する第１上がり框（９）を設け、第１上がり框（９）と玄関側外壁（６）を介する、第１上がり框（９）に横付けされた状況の第２上がり框（１０）を設け、玄関天井の下方における玄関側外壁（６）と玄関扉（７）を備える玄関壁（８）との狭間に生じる空間に玄関収納（１１）を配置し、第１上がり框（９）に対応する玄関収納は設けない様にし、第２上がり框（１０）に対応する玄関収納（１１）を設ける様にし、玄関扉（７）と第１上がり框（９）を介する玄関側壁（１２）を設け、第１上がり框（９）と第２上がり框（１０）を隔てる仕切り壁（１３）を設けることで玄関扉（７）と第１上がり框（９）の経路間を通路として捉える概念を明確にしつつ玄関土間（１４）の占有面積を抑える様にした玄関構造。
【発明の詳細な説明】
【技術分野】
【０００１】  本発明は住宅に設ける玄関に関するものである。
【背景技術】
【０００２】  特開２００８−１８４８８７号公報に示される様に玄関収納は玄関側壁に沿って配置されない状況及び、玄関扉と上がり框の経路間の位置から隠蔽される状況を呈することで玄関土間を通路として捉える概念に基づいた玄関がある。
【発明が解決しようとする課題】
【０００３】  特開２００８−１８４８８７号公報の様な構成により客人に配慮した玄関にすることができる。但し、玄関とホ−ルの往来を２箇所で行える様にした構成の場合はスロ−プの設置や玄関収納の規模により玄関土間の占有面積が拡大する懸念がある。これを解決して玄関土間の占有面積を抑える構成を提供する。
【課題を解決するための手段】
【０００４】  屋根１に採光部２を設け、屋根１内部と玄関天井裏に導入筒３を設け、玄関天井に第１窓４を設け、採光部２と導入筒３と第１窓４を連結する採光構造５であって、住宅の玄関側外壁６から突出する様にして玄関扉７を備える玄関壁８を設け、これにより屋根１を上限とする範囲の玄関側外壁６を除去し、玄関先に構える屋根１に採光部２を設け、屋根１内部に導入筒３を設け、採光部２の直下に導入筒３を配置して玄関側外壁６と玄関扉７を備える玄関壁８との狭間に生じる空間に外光が射し込める様にし、玄関扉７と対向する第１上がり框９を設け、第１上がり框９と玄関側外壁６を介する、第１上がり框９に横付けされた状況の第２上がり框１０を設け、玄関天井の下方における玄関側外壁６と玄関扉７を備える玄関壁８との狭間に生じる空間に玄関収納１１を配置し、第１上がり框９に対応する玄関収納は設けない様にし、第２上がり框１０に対応する玄関収納１１を設ける様にし、玄関扉７と第１上がり框９を介する玄関側壁１２を設け、第１上がり框９と第２上がり框１０を隔てる仕切り壁１３を設けることで玄関扉７と第１上がり框９の経路間を通路として捉える概念を明確にしつつ玄関土間１４の占有面積を抑える様にする。
【発明を実施するための形態】
【０００５】  特開２００７−１６２４４１号公報に示される様に玄関側外壁６と玄関扉７を備える玄関壁８との狭間に生じる空間に外光が射し込める様にした採光構造５がある。この様な構成において、玄関扉７と対向する第１上がり框９を設け、第１上がり框９と玄関側外壁６を介する、第１上がり框９に横付けされた状況の第２上がり框１０を設ける様にする。
採光構造５は屋根１内部における玄関側外壁６と玄関壁８との狭間に生じる空間に設けられるものである。因って、玄関天井の下方における玄関側外壁６と玄関壁８との狭間に生じる空間を新たに活用することができる。つまり、第１上がり框９に横付けされた状況の第２上がり框１０があると共に、玄関収納１１が玄関扉７と第２上がり框１０の経路間にあることで、第２上がり框１０に対応して使用される玄関収納１１をこの空間に配置したものである。この様な新規の空間活用により玄関土間１４の占有面積を抑えることができる。
併せて、特開２００８−１８４８８７号公報に示される様な、生活空間と玄関土間１４の段差に順応するスロ−プ又は、スロ−プに代替できる踏み段を撤廃して玄関土間１４に繋がる一般的な第２上がり框１０を構成したことにより玄関土間１４の占有面積を抑えることができる。
又、玄関扉７と第１上がり框９を介する玄関側壁１２を設け、又、第１上がり框９と第２上がり框１０を隔てる仕切り壁１３を設けることで玄関扉７と第１上がり框９の経路間を通路として捉える概念を明確にすることができる。
【実施例】
【０００６】  例えば、訪問した客人は第１上がり框９で靴を脱ぎ正面の突き当たり壁１５を左折して至近の部屋１６へ通される。
又、例えば、帰宅した住人は第２上がり框１０で靴を脱ぎ２階へ行く場合は正面の階段１７を上がることになり、同様にして住人がキッチン１８やトイレ１９、洗面室２０へ行く場合は第２上がり框１０を左折することになる。又、同様にして住人がキッチン１８に繋がるリビングダイニング２１へ行く場合は第２上がり框１０からホ−ル２２を経て扉２３より入室することになる。
このホ−ル２２は第１上がり框９と第２上がり框１０の中間に位置するＬの鏡文字形状のものであり、又、ホ−ル２２において、第１上がり框９と交差する側に部屋１６が配置され、第１上がり框９と対向する側にリビングダイニング２１が配置されている。なお、２４は洗面室２０に繋がる浴室であり、又、トイレ１９は階段１７の真下に配置される。なお、２５は窓に設ける格子であるが、図１においては格子２５が記される窓以外は記載しないことで見易くしてある。
又、図２に示す様に玄関収納１１が天板を備えるげた箱である場合は玄関天井の下方において、天板上方の玄関側外壁６と玄関壁８との狭間に生じる空間を塞ぐ化粧壁２６を設け、化粧壁２６に埋設される第２窓２７を設ける様にする。この第２窓２７は採光構造５を構成する第１窓４に代替するものであるため、第２窓２７に対応する採光構造５からは第１窓４が撤廃されている。
なお、図２に示す様な玄関からは臨めない屋根１や採光構造５の部位は透視された状況にある。又、屋根１は庇の様なものを想定して屋根１内部は手狭な空間に記されている。
【発明の効果】
【０００７】（イ）  本発明の構成により玄関土間１４の占有面積を抑えると共に、玄関収納１１を玄関側外壁６の内側壁と面を同じくすることで外観を整えることができる。
（ロ）  玄関扉７と対向する第１上がり框９は玄関正面にあることで客人は通常の感覚で使用することができる。又、玄関扉７と第１上がり框９の経路間には玄関収納が無く、併せて、第１上がり框９から部屋１６までの距離が近い等、移動の過程で客人に生活感を感じさせることがない。パソコンの普及による在宅ワ−クや学習、趣味等生活が多様傾向にある現代であるが、それに伴う来客の機会も増えることになる。本発明はこれに対応した構成により客人に配慮した玄関を目指すものである。
（ハ）  収納量を優先する場合は玄関収納１１は壁収納にし、又、玄関の明るさを優先する場合は玄関収納１１はげた箱にするという様に適切に選択を行う。
（ニ）  部屋１６とリビングダイニング２１を住宅の南側に併設しつつ、住宅の各部屋を第１上がり框９や第２上がり框１０の使用目的に応じて割り振りしている。又、動線への配慮に関しては、例えば、第２上がり框１０からキッチン１８までの距離が近いことで食材購入の際には便利であり、併せて、第２上がり框１０から延びる通路の両側にキッチン１８やトイレ１９があると共に、通路の突き当たりに洗面室２０があることで同じ方向に集約できることも好都合である。
（ホ）  玄関土間１４から臨む仕切り壁１３はリビングダイニング２１の扉２３を隠蔽できることでプライバシ−を保護することができる。
（ヘ）  外壁に沿う階段１７により北側２階窓からの平坦な採光ができることで安全に昇降できる。採光に関しては、天空方向から採る玄関の明かりにより、例えば、客人による「幸運に肖れるかも」等の様に会話を和ませることができる。
【図面の簡単な説明】
【図１】  本発明の間取り図
【図２】  第１上がり框９から臨む正面図
【符号の説明】  １  屋根                ２  採光部          ３  導入筒
４  第１窓              ５  採光構造        ６  玄関側外壁
７  玄関扉              ８  玄関壁          ９  第１上がり框
１０  第２上がり框      １１  玄関収納      １２  玄関側壁
１３  仕切り壁          １４  玄関土間      １５  突き当たり壁
１６  部屋              １７  階段          １８  キッチン
１９  トイレ            ２０  洗面室        ２１  リビングダイニング
２２  ホ−ル            ２３  扉            ２４  浴室
２５  格子              ２６  化粧壁        ２７  第２窓
【図１】
2011163097.tif 000003
【図２】
2011163097.tif 000004